【手続補正書】
【提出日】平成20年2月26日(2008.2.26)
【手続補正１】
【補正対象書類名】特許請求の範囲
【補正対象項目名】全文
【補正方法】変更
【補正の内容】
【特許請求の範囲】
【請求項１】
情報のトレーサビリティの保持に使用するために情報を管理する方法であるが、該情報が複数の情報記憶実体に提供される時の、該情報を管理する方法に於いて、該方法が、
第１情報を第１情報記憶実体に提供する過程と、
該第１記憶実体から第２情報記憶実体へ該第１情報の少なくとも１つの表現を提供する過程と、
該第２記憶実体に提供された該第１情報の出所を示す第１メタデータを発生する過程と、そして
該第１出所メタデータを該第２記憶実体内に組み入れる過程と、
を具備することを特徴とする方法。
【請求項２】
該第１出所メタデータが該第１情報の元のソース情報記憶実体の指示と、該第１情報が最後にそこから提供された中間情報記憶実体の指示と、を有することを特徴とする請求項１の方法。
【請求項３】
更に、第１データ構造を組織する過程と、該第１データ構造内に該第１出所メタデータを記憶する過程と、を具備することを特徴とする請求項１の方法。
【請求項４】
該組み入れる過程が該第１出所メタデータを有する第１データ構造の表現を該第２記憶実体内に組み入れる過程を備えることを特徴とする請求項３の方法。
【請求項５】
更に該第１情報に付随する第２メタデータを発生する過程と、該第２メタデータを該第２記憶実体内に組み入れる過程と、を具備することを特徴とする請求項１の方法。
【請求項６】
更に、第１データ構造を組織する過程と、該第１出所メタデータと該第２メタデータとを該第１データ構造内に記憶する過程と、を具備することを特徴とする請求項５の方法。
【請求項７】
該組み入れる過程が該第１出所メタデータと該第２メタデータとを有する第１データ構造の表現を該第２記憶実体内に組み入れる過程を備えることを特徴とする請求項６の方法。
【請求項８】
更に、該第１及び第２記憶実体の各１つ用に一意の識別子を発生する過程を具備することを特徴とする請求項１の方法。
【請求項９】
該第１及び第２記憶実体がそれぞれ内容を有しており、該第２発生過程が該第１及び第２記憶実体のそれぞれの内容に基づき該第１及び第２記憶実体用に該一意の識別子を発生する過程を備えることを特徴とする請求項８の方法。
【請求項１０】
更に、該複数の情報記憶実体間の従属関係のグラフ式表現を表示する過程を具備することを特徴とする請求項１の方法。
【請求項１１】
従属関係のグラフ式表現が該それぞれの情報記憶実体を表すシンボルと、該情報記憶実体内の選択された情報の表現と、そして該記憶実体シンボル間の相互接続の表現と、を有しており、そして更に
どの情報記憶実体が該記憶実体シンボルの可視的配置による該選択された情報の表現を有するかと、選択された情報の表現と、そして該シンボル間の相互接続の表現と、を可視式に示す過程を具備する請求項１０の方法。
【請求項１２】
情報のトレーサビリティの保持での使用のための情報管理システムであるが、該情報が複数の情報記憶実体に提供される時の、該システムに於いて、該システムがプロセサーと、そして
ソフトウエアプログラムを備える少なくとも１つの記憶デバイスと、を具備しており、
該プロセサーは、第１情報を第１情報記憶実体に提供し、該第１記憶実体からの該第１情報の少なくとも１つの表現を第２情報記憶実体に提供し、該第２記憶実体に提供された該第１情報の出所を示す第１メタデータを発生し、そして
該第１出所メタデータを該第２記憶実体内に組み入れるソフトウエアプログラムを実行するよう動作可能であることを特徴とするシステム。
【請求項１３】
該第１出所メタデータが該第１情報の元のソース情報記憶実体の指示と、該第１情報が最後にそこから提供された中間情報記憶実体の指示と、を有することを特徴とする請求項１２のシステム。
【請求項１４】
該プロセサーが更に、第１データ構造を組織し、該第１出所メタデータを該第１データ構造内に記憶する該ソフトウエアプログラムを実行するよう動作可能であることを特徴とする請求項１２のシステム。
【請求項１５】
該プロセサーが更に、該第１出所メタデータを含む該第１データ構造の表現を該第２記憶実体内に組み入れるよう動作可能であることを特徴とする請求項１４のシステム。
【請求項１６】
該プロセサーが更に、該第１及び第２記憶実体の各１つ用に一意の識別子を発生するよう動作可能であることを特徴とする請求項１２のシステム。
【請求項１７】
該第１及び第２記憶実体がそれぞれの内容を有しており、該プロセサーが該第１及び第２記憶実体のそれぞれの内容に基づき該第１及び第２記憶実体用の該一意の識別子を発生するよう動作可能であることを特徴とする請求項１６のシステム。
【請求項１８】
更に、少なくとも１つの入力デバイスと少なくとも１つの出力デバイスとを具備することを特徴とする請求項１２のシステム。
【請求項１９】
該出力デバイスはビデオデイスプレーを備えており、該プロセサーは更に、該ビデオデイスプレーと協力して、グラフィカルユーザーインターフエースを実現するよう動作可能であることを特徴とする請求項１８のシステム。
【請求項２０】
該プロセサーが更に、該ビデオデイスプレーと協力して、該複数の情報記憶実体間の従属関係のグラフ式表現を表示するよう動作可能であることを特徴とする請求項１９のシステム。
【請求項２１】
該従属関係のグラフ式表現が、該それぞれの情報記憶実体を表すシンボルと、該情報記憶実体内の選択された情報の表現と、そして該記憶実体シンボル間の相互接続の表現と、を有しており、そして
該記憶実体シンボルと、該選択された情報の表現と、そして該シンボル間の相互接続の該表現と、はどの情報記憶実体が該選択された情報の表現を有するかを可視的に示すために配置されていることを特徴とする請求項２０のシステム。
【請求項２２】
情報のトレーサビリティの保持で使用するための情報を管理する方法であるが、該情報が第１記憶実体及び第２記憶実体を有する複数の情報記憶実体に提供される時の、該情報を管理する方法に於いて、該方法が、
第１情報を第１記憶実体に提供する過程と、
該第１記憶実体からの該第１情報の少なくとも１つの表現を該第２記憶実体に提供する過程と、そして
該第１記憶実体及び該第２記憶実体を有する該複数の記憶実体の間の従属関係のグラフ式表現を表示する過程と、を具備しており
該従属関係のグラフ式表現は、該それぞれの記憶実体を表すシンボルと、該それぞれの記憶実体内の該第１情報を含む選択された情報の表現と、そして該記憶実体間の相互接続の表現と、を有することを特徴とする方法。
【請求項２３】
更に、どの記憶実体が該記憶実体シンボルの可視的配置による該選択された情報の表現を有するか、該選択された情報の表現、そして該シンボル間の該相互接続の表現、を可視的に示す過程を具備することを特徴とする請求項２２の方法。
【請求項２４】
更に、該第２記憶実体に提供された該第１情報の出所を示す第１メタデータを発生する過程を具備することを特徴とする請求項２２の方法。
【請求項２５】
更に、該第１出所メタデータを該第２記憶実体内に組み入れる過程を具備することを特徴とする請求項２４の方法。
【請求項２６】
情報のトレーサビリティの保持で使用するための情報を管理する方法であるが、該情報が複数の情報記憶実体に提供される時の、該情報を管理する方法に於いて、該方法が、
第１情報を第１情報記憶実体に提供する過程と、
該第１記憶実体からの該第１情報の少なくとも１つの表現を第２情報記憶実体に提供する過程と、
該第１記憶実体内の該第１情報を修正する過程と、
該第２記憶実体内の該第１情報の該少なくとも１つの表現の存在を決定する過程と、そして
該修正された第１情報の表現を該第２記憶実体内の該第１情報の該表現の代わりに使う過程とを具備することを特徴とする方法。
【請求項２７】
更に、該第２記憶実体に提供された該第１情報の出所を示す第１メタデータを発生する過程を具備することを特徴とする請求項２６の方法。
【請求項２８】
該決定する過程が、該第１出所メタデータを使って該第２記憶実体内の該第１情報の該少なくとも１つの表現の存在を決定する過程を備えることを特徴とする請求項２７の方法。
【請求項２９】
更に、該第１出所メタデータを該第２記憶実体内に組み入れる過程を具備することを特徴とする請求項２７の方法。
【請求項３０】
情報のトレーサビリティの保持で使用するための情報を管理する方法であるが、該情報が複数の情報記憶実体に提供される時の、該情報を管理する方法に於いて、該方法が
第１情報を第１情報記憶実体に提供する過程と、
該第１記憶実体からの該第１情報の少なくとも１つの表現を第２情報記憶実体に提供する過程と、
該第１記憶実体内の該第１情報を修正する過程と、
該第２記憶実体内の該第１情報の該少なくとも１つの表現の存在を決定する過程と、
該第１情報の該少なくとも１つの表現を有する該第２記憶実体の新しい版を創る過程と、そして
該修正された第１情報の表現を、該第２記憶実体の該新しい版内の該第１情報の該表現の代わりに使う過程と、を具備することを特徴とする方法。
【請求項３１】
更に、該第２記憶実体に提供された該第１情報の出所を示す第１メタデータを発生する過程を具備することを特徴とする請求項３０の方法。
【請求項３２】
該決定する過程が、該第１出所メタデータを使って該第２記憶実体内の該第１情報の該少なくとも１つの表現の存在を決定する過程を備えることを特徴とする請求項３１の方法。
【請求項３３】
更に、該第１出所メタデータを該第２記憶実体内に組み入れる過程を具備することを特徴とする請求項３１の方法。
【請求項３４】
情報のトレーサビリティの保持での使用のための情報管理システムであるが、該情報が第１記憶実体及び第２記憶実体を有する複数の情報記憶実体に提供される時の、該システムに於いて、該システムがプロセサーと、
ビデオデイスプレーを備える少なくとも１つの出力デバイスと、そして
ソフトウエアプログラムを備える少なくとも１つの記憶デバイスと、を具備しており、
該プロセサーは、第１情報を該第１記憶実体に提供し、該第１記憶実体からの該第１情報の少なくとも１つの表現を該第２記憶実体に提供し、そして
該ビデオデイスプレーと協力して、該第１記憶実体及び該第２記憶実体を有する該複数の記憶実体間の従属関係のグラフ式表現を表示する該ソフトウエアプログラムを実行するよう動作可能であり、
該従属関係のグラフ式表現は該それぞれの記憶実体を表すシンボルと、該それぞれの記憶実体内の該第１情報を含む選択された情報の表現と、そして該記憶実体シンボル間の相互接続の表現と、を有することを特徴とするシステム。
【請求項３５】
該プロセサーが更に、該ビデオデイスプレーと協力して、どの記憶実体が該記憶実体シンボルの可視的配置による該選択された情報の表現を有するか、選択された情報の表現、そして該シンボル間の相互接続の表現、を可視的に示すために該ソフトウエアプログラムを実行するよう動作可能であることを特徴とする請求項３４のシステム。
【請求項３６】
該プロセサーが更に、該第２記憶実体に提供された該第１情報の出所を示す第１メタデータを発生するために該ソフトウエアプログラムを実行するよう動作可能であることを特徴とする請求項３４のシステム。
【請求項３７】
該プロセサーが更に、該第１出所メタデータを該第２記憶実体内に組み入れるために該ソフトウエアプログラムを実行するよう動作可能であることを特徴とする請求項３６のシステム。